(57)【特許請求の範囲】
【請求項１】
ナースコールシステムにおいて行われる呼び出しの呼出種別に関する分析を行う呼出分析装置であって、
上記呼び出しを行った患者および呼出種別に関する情報を含む個々の呼出情報を履歴として記憶した呼出履歴記憶部から、所定期間の呼出情報を取得する呼出履歴情報取得部と、
上記呼出履歴情報取得部により取得された所定期間の呼出情報に基づいて、呼出回数の多い上位者を特定する上位者特定部と、
上記上位者特定部により特定された上位者について、複数の呼出種別の発生割合を算出する呼出種別割合算出部と、
上記呼出種別割合算出部により算出された呼出種別の発生割合に基づいて、センサ呼出の発生割合が最も多い患者、または上記センサ呼出の発生割合が所定値以上の患者を抽出して提示する患者抽出部とを備えたことを特徴とする呼出分析装置。
【請求項２】
上記上位者特定部は、上記所定期間の呼出情報に含まれる患者総数に対する所定割合の人数の患者を、上記呼出回数の多い上位者として特定することを特徴とする請求項１に記載の呼出分析装置。
【請求項３】
上記上位者特定部は、上記呼出回数が所定値以上の患者を、上記呼出回数の多い上位者として特定することを特徴とする請求項１に記載の呼出分析装置。
【請求項４】
患者が使用するナースコール子機と、当該ナースコール子機からの呼び出しを報知するナースコール親機とを備えたナースコールシステムに適用される呼出制御システムであって、
上記呼び出しを行った患者および呼出種別に関する情報を含む個々の呼出情報を履歴として記憶した呼出履歴記憶部から、所定期間の呼出情報を取得する呼出履歴情報取得部と、
上記呼出履歴情報取得部により取得された所定期間の呼出情報に基づいて、呼出回数の多い上位者を特定する上位者特定部と、
上記上位者特定部により特定された上位者について、複数の呼出種別の発生割合を算出する呼出種別割合算出部と、
上記呼出種別割合算出部により算出された呼出種別の発生割合に基づいて、センサ呼出の発生割合が最も多い患者、または上記センサ呼出の発生割合が所定値以上の患者を抽出する患者抽出部と、
前記患者抽出部によって抽出された患者が使用するナースコール子機に対して、上記センサの検出感度を低下させる制御を行う制御部と
を備えたことを特徴とする呼出制御システム。
【請求項５】
上記ナースコール子機が備えるセンサは、呼出信号を発信するためのトリガとして患者の接近を検出する近接センサであり、当該近接センサは、上記患者が所定距離以内に近づいたときに上記患者の接近を検出するようになされ、
上記制御部は、上記所定距離の設定を長くすることにより、上記センサの検出感度を低下させることを特徴とする請求項４に記載の呼出制御システム。
【請求項６】
上記ナースコール子機が備えるセンサは、呼出信号を発信するためのトリガとして所定音量以上の音の発生を検出する音センサであり、
上記制御部は、上記所定音量の設定を大きくすることにより、上記センサの検出感度を低下させることを特徴とする請求項４に記載の呼出制御システム。
【請求項７】
上記ナースコール子機が備えるセンサは、呼出信号を発信するためのトリガとして患者の所定圧以上の吐息を検出するブレスセンサであり、
上記制御部は、上記所定圧の設定を大きくすることにより、上記センサの検出感度を低下させることを特徴とする請求項４に記載の呼出制御システム。
【発明の詳細な説明】
【技術分野】
【０００１】
本発明は、呼出分析装置および呼出制御システムに関し、特に、複数の呼出種別による呼び出しを行うことができるようになされたナースコールシステムに適用して好適なものである。
【背景技術】
【０００２】
一般に、病院などでは、ナースコールシステムが用いられている。ナースコールシステムは、患者のベッドサイドに設置するナースコール子機と、ナースセンタに設置するナースコール親機とを備えて構成されている。また、個々の看護師が所持する携帯端末を携帯型のナースコール親機として用いたナースコールシステムも提供されている。
【０００３】
この種のナースコールシステムにおいて、患者がナースコール子機の呼出ボタンを押下して呼び出しを行うと、呼び出しが行われたことがナースコール親機にて報知される。そして、看護師がナースコール親機を操作して応答すると、患者と看護師とが通話を行うことができるようになっている。看護師は、必要に応じて、呼び出しを行った患者が居る現場に向かい、必要な処置を行う。
【０００４】
ところで、患者がナースコール子機を用いて呼び出しを行う場合に、患者の状況に応じて様々な呼び出しの種類が存在する。例えば、通常の呼び出しを行う一般呼出、緊急性を要する緊急呼出、トイレ介助を要請するトイレ呼出などが存在する。通常、ナースコール子機には、一般呼出、緊急呼出、トイレ呼出などの呼出種別毎に異なる呼出ボタンが備えられており、患者が操作した呼出ボタンに応じた呼出種別の呼び出しが行われるようになっている。
【０００５】
また、上記の呼出ボタンの他に、患者の顔や舌などが近づいたことを検出する近接センサ、あるいは、患者の声を検出する音センサなどを備え、これらのセンサによって呼び出しを行うことができるようにしたナースコール子機が存在する。このセンサを用いて行われる呼び出しは、センサ呼出として他の種類の呼び出しと区別される。
【０００６】
以上のように、患者からの呼び出しには種々の呼出種別があるが、どの呼出種別であっても、呼び出しがあれば看護師は応答をして何らかの対応をしなければならない。しかしながら、呼び出しの中には誤報もある。特に、近接センサを備えたナースコール子機の場合、患者が呼び出しを行う意図なく近接センサに近づくだけで、呼び出しが行われてしまう。また、音センサを備えたナースコール子機の場合、患者が呼び出しを行う意図なく音を発したときでも、呼び出しが行われてしまう。
【０００７】
このような誤報による呼び出しであっても、それが誤報であるか否かは看護師には分からないため、看護師は応答をせざるを得ない。そのため、誤報による呼び出しに対して看護師が対応することにより、看護師が従事中の他の業務の効率を低下させてしまうという問題が生じていた。
【０００８】
ところで、全体の呼出回数が所定回数以上の患者のうち、通常呼出の割合が所定値以上の患者または不急呼出の割合が所定値以上の患者を分析し、病床の配置を検討可能にする技術が知られている（例えば、特許文献１参照）。この特許文献１に記載のナースコール用表示装置では、ナースコール親機が音声で報知する通常呼出の回数と、廊下灯が視覚で報知する不急呼出の回数とを患者毎に集計し、ナースステーションから病床までの距離を患者毎に設定する。そして、全体の呼出回数が所定の回数以上で、通常呼出の割合が第１の所定の割合以上である患者の距離が第１の所定値以上である場合、または、全体の呼出回数が所定の回数以上で、不急呼出の割合が第２の所定の割合以上である患者の距離が第２の所定値以下である場合に、表示部は病床が適切ではないことを表示する。
【先行技術文献】
【特許文献】
【０００９】
【特許文献１】特開２０１２−２２８３９２号公報
【発明の概要】
【発明が解決しようとする課題】
【００１０】
上記特許文献１に記載の技術によれば、通常の呼び出しを行う傾向が高い患者の病床をナースステーションから遠い病床に配置したり、不急の呼び出しを行う傾向が高い患者の病床をナースステーションの近くの病床に配置したりするといった対応を取ることが可能である。しかしながら、誤報による呼び出しに対して看護師が対応することにより、看護師が従事中の他の業務の効率を低下させてしまうという問題を改善することはできない。
【００１１】
本発明は、このような問題を解決するために成されたものであり、誤報による呼び出しに対して看護師が対応することによる看護業務の効率の低下を改善できるようにすることを目的とする。
【課題を解決するための手段】
【００１２】
上記した課題を解決するために、本発明では、呼出履歴記憶部から取得した所定期間の呼出情報に基づいて、呼出回数の多い上位者を特定し、さらにその上位者について複数の呼出種別の発生割合を算出し、センサ呼出の発生割合が最も多い患者、またはセンサ呼出の発生割合が所定値以上の患者を抽出して提示するようにしている。
【発明の効果】
【００１３】
上記のように構成した本発明によれば、誤報による呼び出しが発生する可能性の高いセンサ呼出を比較的多い割合で行っている患者が提示される。本発明では、呼出回数の多い上位者のみを対象として、センサ呼出の発生割合が多い患者を抽出しているので、手を動かすのが不自由でセンサ呼出しか行うことができない患者に関しては、呼出回数が多くなければ、センサ呼出の発生割合が多くても、抽出結果として提示されることはない。したがって、本発明において提示される患者は、当該患者が使用しているナースコール子機のセンサの設定（例えば、検出感度の設定）や設置状態を見直すことにより、誤報による呼び出しの発生を減らすことができる可能性のある患者である。よって、実際にセンサの設定や設置状態を見直すことにより、誤報による呼び出しに対して看護師が対応することによる看護業務の効率の低下を改善することができる。
【図面の簡単な説明】
【００１４】
【図１】本発明の第１実施形態に係る呼出分析装置の構成例を示す図である。
【図２】本発明の第１実施形態に係る患者情報および呼出情報の一例を示す図である。
【図３】本発明の第１実施形態に係る呼出分析装置による処理の手順を示すフローチャートである。
【図４】本発明の第１実施形態に係る呼出分析装置による分析処理の具体例を示す図である。
【図５】本発明の第２実施形態に係る呼出制御システムの構成例を示す図である。
【図６】本発明の第２実施形態に係る呼出制御システムによる処理の手順を示すフローチャートである。
【発明を実施するための形態】
【００１５】
以下、本発明の一実施形態を図面に基づいて説明する。
【００１６】
〔呼出制御システム１の構成〕
図１は、本発明の第１実施形態に係る呼出分析装置１０の構成例を示す図である。本実施形態の呼出分析装置１０は、例えば病院、介護施設等において、患者が使用するナースコール子機３０と、当該ナースコール子機３０からの呼び出しを報知するナースコール親機４０とを備えたナースコールシステムに適用される。特に、呼出分析装置１０は、複数の呼出種別（例えば、一般呼出、緊急呼出、トイレ呼出、センサ呼出等）による患者からの呼び出しを行うことができるようになされたナースコールシステムに適用される。
【００１７】
図１に示すように、本実施形態に係る呼出分析装置１０が適用されるナースコールシステムは、ナースコール子機３０およびナースコール親機４０を備えて構成されている。
【００１８】
ナースコール子機３０は、患者がナースコールの呼び出しの操作を行うための装置である。ナースコール子機３０からの呼び出しがなされると、当該呼び出しに係る呼出信号がナースコール親機４０へ送信され、これに応じて、ナースコール親機４０が当該呼び出しを報知するようになっている。
【００１９】
本実施形態のナースコール子機３０は、複数の呼出種別（例えば、一般呼出、緊急呼出、トイレ呼出、センサ呼出等）によるナースコールの呼び出しを患者が行うことができるようになっている。例えば、ナースコール子機３０は、病室の各ベッドサイドの壁に埋め込み設置された壁埋込形子機、および、壁埋込形子機に接続されて患者の手元で操作されるハンド形子機を備えて構成されている。患者は、壁埋込形子機またはハンド形子機に備えられた一般呼出ボタン、緊急呼出ボタン、トイレ呼出ボタンにより、一般呼出、緊急呼出、トイレ呼出を患者が行うことができるようになっている。
【００２０】
また、ナースコール子機３０は、呼出信号を発信するためのトリガとして患者の所定の動作を検出するセンサ３１を備えている。このセンサ３１は、例えば、壁埋込形子機に接続されたセンサ子機の本体に設けられているか、もしくは、ハンド形子機に設けられている。このセンサ３１によって患者の所定の動作が検出されると、ナースコール子機３０からセンサ呼出が行われるようになっている。
【００２１】
例えば、センサ３１は、呼出信号を発信するためのトリガとして患者の接近を検出する近接センサであり、当該近接センサは、患者が所定距離以内に近づいたときに患者の接近を検出するようになされている。他の一例として、センサ３１は、呼出信号を発信するためのトリガとして所定音量以上の音の発生を検出する音センサである。さらなる他の一例として、センサ３１は、呼出信号を発信するためのトリガとして患者の所定圧以上の吐息を検出するブレスセンサである。
【００２２】
センサ３１には、検出感度の設定値が内部メモリに記憶されている。第１実施形態では、センサ３１は、手動操作（例えば、ボタン操作）により、内部メモリに記憶されている検出感度の設定値を変更することができるようになっている。
【００２３】
ナースコール親機４０は、患者情報記憶部４１、呼出履歴記憶部４２およびディスプレイ４３を備えている。
【００２４】
患者情報記憶部４１は、各患者の患者情報が示された患者情報テーブルを記憶する。患者情報は、例えば、患者ＩＤ、患者名、部屋番号、子機ＩＤ等を含んで構成されている。なお、患者情報記憶部４１に記憶されている患者情報の詳細については、図２を用いて後述する。本実施形態では、ナースコール親機４０に標準的に備えられている患者情報記憶部４１をそのまま利用しているが、これに限らない。
【００２５】
呼出履歴記憶部４２は、ナースコールの呼び出しを行った患者および呼出種別に関する情報を含む個々の呼出情報を履歴として記憶する。呼出情報は、例えば、呼出日時、患者ＩＤ、呼出種別等を含んで構成されている。なお、呼出履歴記憶部４２に記憶されている呼出情報の詳細については、図２を用いて後述する。本実施形態では、ナースコール親機４０に標準的に備えられている呼出履歴記憶部４２をそのまま利用しているが、これに限らない。
【００２６】
呼出分析装置１０は、ナースコールシステムにおいて行われる呼び出しの呼出種別に関する分析を行う。具体的には、呼出分析装置１０は、所定期間内におけるナースコールの呼び出しの履歴に基づいて、所定期間内の呼出回数が多い患者を特定し、特定した患者の中からセンサ呼出の発生割合が多い患者を抽出して提示する。
【００２７】
図１に示すように、本実施形態に係る呼出分析装置１０は、その機能構成として、呼出履歴情報取得部１１、上位者特定部１２、呼出種別割合算出部１３および患者抽出部１４を備えている。
【００２８】
なお、上記各機能ブロック１１〜１４は、ハードウェア構成、ＤＳＰ、ソフトウェアの何れによっても実現することが可能である。例えばソフトウェアによって実現する場合、上記各機能ブロック１１〜１４は、実際にはコンピュータのＣＰＵあるいはＭＰＵ、ＲＡＭ、ＲＯＭなどを備えて構成され、ＲＡＭ、ＲＯＭ、ハードディスク、半導体メモリ等に記憶されたプログラムが動作することによって実現できる。
【００２９】
呼出履歴情報取得部１１は、呼出履歴記憶部１２から、所定期間の呼出情報を取得する。例えば、所定期間を過去１週間とする場合、呼出履歴情報取得部１１は、呼出履歴記憶部１２から、過去１週間に該当する日付が呼出日時に設定されている呼出情報を取得する。
【００３０】
上位者特定部１２は、呼出履歴情報取得部１１により取得された所定期間の呼出情報に基づいて、所定期間内における呼出回数の多い上位者を特定する。例えば、上位者特定部１２は、所定期間の呼出情報に含まれる患者総数に対する所定割合の人数の患者を、呼出回数の多い上位者として特定する。他の例として、上位者特定部１２は、呼出回数が所定値以上の患者を、呼出回数の多い上位者として特定する。
【００３１】
呼出種別割合算出部１３は、上位者特定部１２により特定された上位者について、複数の呼出種別の発生割合を算出する。例えば、呼出種別割合算出部１３は、上位者特定部１２により特定された上位者毎に、複数の呼出種別（一般呼出、緊急呼出、トイレ呼出、センサ呼出等）の各々について、その呼出種別の呼出回数を、全ての呼出種別の呼出回数の総数で除することにより、その呼出種別の発生割合を算出する。
【００３２】
患者抽出部１４は、呼出種別割合算出部１３により算出された呼出種別の発生割合に基づいて、所定期間内におけるセンサ呼出の発生割合が多い患者（センサ呼出の発生割合が最も多い患者、またはセンサ呼出の発生割合が所定値以上の患者）を抽出して提示する。例えば、患者抽出部１４は、抽出した患者の情報（患者名、センサ呼出の発生割合等）をディスプレイ４３に表示させることにより提示する。但し、患者抽出部１４による患者の提示方法は、これに限らず、例えばプリンタからプリントアウトさせるようにしてもよい。
【００３３】
〔患者情報および呼出情報の一例〕
図２は、本発明の第１実施形態に係る患者情報および呼出情報の一例を示す図である。図２（ａ）は、患者情報記憶部４１に記憶されている患者情報の一例を示す。また、図２（ｂ）は、呼出履歴記憶部４２に記憶されている呼出情報の一例を示す。
【００３４】
図２（ａ）に示すように、患者情報記憶部４１には、患者ごとに、患者ＩＤと、患者名と、部屋番号と、子機ＩＤとが対応付けられて患者情報として記憶されている。患者情報記憶部４１に記憶されている患者情報は、例えば、患者抽出部１４により、所定期間内のセンサ呼出の発生割合が多い患者の患者情報（例えば、患者名、部屋番号等）を特定して提示する際に参照される。
【００３５】
また、図２（ｂ）に示すように、呼出履歴記憶部４２には、ナースコールの呼び出しが行われるごとに、呼出日時と、呼び出しを行った患者の患者ＩＤと、呼出種別とが対応付けられて呼出情報として記憶されている。このように呼出履歴記憶部４２に記憶されている呼出情報の中から、呼出履歴情報取得部１１によって、所定期間の呼出情報が取得される。
【００３６】
〔呼出分析装置１０による処理の手順〕
図３は、本発明の第１実施形態に係る呼出分析装置１０による処理の手順を示すフローチャートである。図３に例示する処理は、例えば、所定の期間毎に定期的に、呼出分析装置１０によって実行される。但し、これに限らず、例えばオペレータが任意のタイミングで図３に例示する処理を呼出分析装置１０に実行させるようにしてもよい。
【００３７】
まず、呼出履歴情報取得部１１が、呼出履歴記憶部１２から所定期間の呼出情報を取得する（ステップＳ３０２）。次に、上位者特定部１２が、ステップＳ３０２にて取得された所定期間の呼出情報に基づいて、所定期間内における呼出回数の多い上位者を特定する（ステップＳ３０４）。そして、呼出種別割合算出部１３が、ステップＳ３０４にて特定された上位者について、複数の呼出種別の発生割合を算出する（ステップＳ３０６）。
【００３８】
続いて、患者抽出部１４が、ステップＳ３０６にて算出された呼出種別の発生割合に基づいて、所定期間内におけるセンサ呼出の発生割合が最も多い患者、または所定期間内におけるセンサ呼出の発生割合が所定値以上の患者を抽出する（ステップＳ３０８）。そして、患者抽出部１４が、ステップＳ３０８にて抽出された患者をディスプレイ４３に表示させる（ステップＳ３１０）。そして、呼出分析装置１０は、図３に示す一連の処理を終了する。
【００３９】
〔分析処理の具体例〕
図４は、本発明の第１実施形態に係る呼出分析装置１０による分析処理の具体例を示す図である。
【００４０】
図４（ａ）は、上位者特定部１２により、呼出履歴情報取得部１１が取得した所定期間内の呼出情報に基づいて、所定期間内における各患者の呼出回数を集計したものである。この例では、５名の患者（患者名「Ａ」，「Ｂ」，「Ｃ」，「Ｄ」，「Ｅ」）の呼出回数の集計結果を示している。この例では、各患者について、全呼出種別の総呼出回数と、センサ呼出の呼出回数とが、それぞれ集計されている。
【００４１】
図４（ｂ）は、所定期間内における呼出回数の多い患者の特定例を示すものである。この例では、上位者特定部１２により、図４（ａ）に示す集計結果に基づいて、総呼出回数が３０回以上である３名の患者（患者名「Ａ」，「Ｃ」，「Ｅ」）が、呼出回数の多い患者として特定されている。
【００４２】
図４（ｃ）は、所定期間内におけるセンサ呼出の発生割合が多い患者の抽出例を示すものである。この例では、患者抽出部１４により、図４（ｂ）のように特定された呼出回数が多い３名の患者（患者名「Ａ」，「Ｃ」，「Ｅ」）のうち、センサ呼出の発生割合が５０％以上の２名の患者（患者名「Ａ」，「Ｅ」）が、センサ呼出の発生割合が多い患者として抽出され、センサ呼出の発生割合が多い順に提示（ディスプレイ４３に表示）されている。
【００４３】
このように抽出された、所定期間内における呼出回数が多く、且つ、センサ呼出の発生割合が多い患者は、センサ呼出の誤報が何度もなされた可能性が高い患者である。そこで、このような抽出結果に基づいて担当者が手動で、この患者が使用しているナースコール子機３０のセンサ３１の検出感度を低下させたり、設置状態を見直したりすることにより、この患者からのセンサ呼出の誤報の発生を生じ難くさせることができる。
【００４４】
図４（ｃ）の例では、センサ呼出の発生割合が多い各患者に対し、「グラフ表示」ボタン４０２が表示されている。ユーザは、任意の患者に対応する「グラフ表示」ボタン４０２を選択することにより、その患者について、図４（ｄ）に示すように、複数の呼出種別の発生割合を示すグラフをディスプレイ４３に表示させることができる。
【００４５】
図４（ｄ）は、所定期間内におけるセンサ呼出の発生割合が多い患者の、複数の呼出種別の発生割合の提示例を示すものである。この例では、図４（ｃ）にて、ユーザが任意の患者（患者名「Ａ」）に対応する「グラフ表示」ボタン４０２を選択したことにより、この患者の複数の呼出種別の発生割合が円グラフでディスプレイ４３に表示されている。このように円グラフがディスプレイ４３に表示されることにより、ユーザは、任意に選択した患者に関する複数の呼出種別の発生割合を視覚的且つ容易に把握することができる。
【００４６】
以上説明したように、第１実施形態によれば、誤報による呼び出しが発生する可能性の高いセンサ呼出を比較的多い割合で行っている患者が患者抽出部１４によって提示される。第１実施形態では、呼出回数の多い上位者のみを対象として、センサ呼出の発生割合が多い患者を抽出しているので、手を動かすのが不自由でセンサ呼出しか行うことができない患者に関しては、呼出回数が多くなければ、センサ呼出の発生割合が多くても、患者抽出部１４によって抽出結果として提示されることはない。したがって、第１実施形態において患者抽出部１４によって提示される患者は、当該患者が使用しているナースコール子機３０のセンサ３１の設定（例えば、検出感度の設定）や設置状態を見直すことにより、誤報による呼び出しの発生を減らすことができる可能性のある患者である。よって、実際にセンサ３１の設定や設置状態を見直すことにより、誤報による呼び出しに対して看護師が対応することによる看護業務の効率の低下を改善することができる。
【００４７】
〔呼出制御システム１の構成〕
次に、図５および図６を参照して、本発明の第２実施形態について説明する。図５は、本発明の第２実施形態に係る呼出制御システム１の構成例を示す図である。第２実施形態の呼出制御システム１は、呼出分析装置１０の代わりに呼出分析装置１０’を備えているとともに、制御装置２０をさらに備えている。また、第２実施形態の呼出制御システム１は、ナースコール子機３０がセンサ３１の代わりにセンサ３１’を備えている。
【００４８】
呼出分析装置１０’は、変更指示部１５をさらに備える点で、第１実施形態の呼出分析装置１０と異なる。変更指示部１５は、患者抽出部１４が抽出したセンサ呼出の発生割合が多い患者が使用するナースコール子機３０のセンサ３１’の検出感度を低下させるように制御装置２０へ指示する。
【００４９】
制御装置２０は、制御部２１を備えている。当該制御部２１は、呼出分析装置１０’の分析結果に基づいて、ナースコール子機３０が備えるセンサ３１’による呼び出しの制御を行う。具体的には、制御部２１は、呼出分析装置１０’の患者抽出部１４により患者（所定期間内における呼出回数が多く、且つ、所定期間内におけるセンサ呼出の発生割合が多い患者）が抽出されると、変更指示部１５からの指示を受けて、当該患者が使用するナースコール子機３０に対して、センサ３１’の検出感度を低下させる制御を行う。
【００５０】
例えば、呼出分析装置１０’の変更指示部１５は、センサ呼出の発生割合が多い患者が使用するナースコール子機３０を特定するための情報として、センサ呼出の発生割合が多い患者の患者ＩＤに対応付けられている部屋番号および子機ＩＤを、患者情報記憶部４１から取得して制御装置２０へ通知する。この通知を受けた制御装置２０の制御部２１は、通知された部屋番号および子機ＩＤによって特定されるナースコール子機３０に対して、センサ３１’の検出感度を低下させるように制御する。
【００５１】
第２実施形態では、センサ３１’は、外部からの制御信号により、内部メモリに記憶されている検出感度の設定値を変更することができるようになっている。そこで、制御部２１は、この制御信号をセンサ３１’へ送信して、センサ３１’の内部メモリに記憶されている検出感度の設定値を変更することにより、センサ３１’の検出感度を低下させる。
【００５２】
例えば、センサ３１’が上記近接センサである場合、制御部２１は、所定距離の設定を長くすることにより、センサ３１’の検出感度を低下させる。また、センサ３１’が上記音センサである場合、制御部２１は、所定音量の設定を大きくすることにより、センサ３１’の検出感度を低下させる。また、センサ３１’が上記ブレスセンサである場合、制御部２１は、所定圧の設定を大きくすることにより、センサ３１’の検出感度を低下させる。
【００５３】
センサ３１’の検出感度を低下させる方法は、例えば、検出感度を示す数値を所定量下げる方法や、検出感度のレベルを一段階下げる方法等、検出感度の設定値の形態に応じた方法が用いられる。
【００５４】
〔呼出制御システム１による処理の手順〕
図６は、本発明の第２実施形態に係る呼出制御システム１による処理の手順を示すフローチャートである。図６に例示する処理は、例えば、所定の期間毎に定期的に、呼出制御システム１によって実行される。但し、これに限らず、例えばオペレータが任意のタイミングで図６に例示する処理を呼出制御システム１に実行させるようにしてもよい。
【００５５】
まず、呼出分析装置１０’において、呼出履歴情報取得部１１が、呼出履歴記憶部１２から所定期間の呼出情報を取得する（ステップＳ６０２）。次に、上位者特定部１２が、ステップＳ６０２にて取得された所定期間の呼出情報に基づいて、所定期間内における呼出回数の多い上位者を特定する（ステップＳ６０４）。そして、呼出種別割合算出部１３が、ステップＳ６０４にて特定された上位者について、複数の呼出種別の発生割合を算出する（ステップＳ６０６）。
【００５６】
続いて、患者抽出部１４が、ステップＳ６０６にて算出された呼出種別の発生割合に基づいて、所定期間内におけるセンサ呼出の発生割合が最も多い患者、または所定期間内におけるセンサ呼出の発生割合が所定値以上の患者を抽出する（ステップＳ６０８）。そして、変更指示部１５が、ステップＳ６０８にて抽出された患者が使用するナースコール子機３０のセンサ３１’の検出感度を低下させるように制御装置２０へ指示する（ステップＳ６１２）。
【００５７】
変更指示部１５からの指示を受けた制御装置２０においては、制御部２１が、指示されたナースコール子機３０に対して、センサ３１’の検出感度を低下させる制御を行う（ステップＳ６１２）。この制御を受けたナースコール子機３０においては、センサ３１’の検出感度が下げられる（ステップＳ６１４）。そして、呼出制御システム１は、図６に示す一連の処理を終了する。
【００５８】
以上説明したように、第２実施形態によれば、センサ呼出の誤報が何度もなされた可能性が高い患者に対し、この患者が使用しているナースコール子機３０のセンサ３１’の検出感度を自動的に低下させて、誤報による呼び出しの発生を減らすことができる。よって、センサ３１’の設定や設置状態を見直すといった人的作業を必要とすることなく、誤報による呼び出しに対して看護師が対応することによる看護業務の効率の低下を改善することができる。
【００５９】
なお、上記各実施形態において、呼出分析装置１０，１０’をナースコール親機４０と別に設けているが、本発明はこれに限らない。例えば、ナースコール親機４０内に、呼出分析装置１０，１０’を設けるようにしてもよい。
【００６０】
また、本発明のセンサは、上記各実施形態で説明したもの（近接センサ、音センサ、ブレスセンサ）に限らない。すなわち、本発明のセンサは、センサ呼出のトリガとなる患者の所定の状態を検出できるものであれば、どのようなセンサであってもよい。
【００６１】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００６２】
１  呼出制御システム
１０，１０’  呼出分析装置
１１  呼出履歴情報取得部
１２  上位者特定部
１３  呼出種別割合算出部
１４  患者抽出部
１５  変更指示部
２０  制御装置
２１  制御部
３０  ナースコール子機
３１，３１’  センサ
４０  ナースコール親機
４１  患者情報記憶部
４２  呼出履歴情報記憶部
４３  ディスプレイ
【図１】
0006554003.tif 000002
【図２】
0006554003.tif 000003
【図３】
0006554003.tif 000004
【図４】
0006554003.tif 000005
【図５】
0006554003.tif 000006
【図６】
0006554003.tif 000007